(57)【要約】      （修正有）【課題】蛍光ランプに関するものであり、特に、新しいコールドエンド技術を利用した面負荷の高いコンパクト形蛍光ランプ又はエンベロープで覆われた蛍光ランプを実現する。【解決手段】少なくとも一つのランプ管１を含み、カソード、ステムキャップ及びワイヤが両端に設けられ、全体が一体の放電空間を形成する。ランプ管を通して連結されたキャビティ管３が、少なくとも一つのランプ管の少なくとも一端から延びてランプ管に発光ゾーンとコールドエンドゾーンとを形成する。本発明には、（１）ランプ動作時の温度を広範囲で最適に調整することができる、（２）ランプ管内の水銀蒸気圧を調整して安定した動作状態を提供することができる、（３）カソードを急速に始動させることができ、従来のアマルガムを用いた蛍光ランプが抱える立ち上がりの遅さの問題を克服することができる、といった利点がある。【選択図】図１
2006024570.tif 000002
【特許請求の範囲】
【請求項１】
コンパクト形蛍光ランプであって、
少なくとも一つのランプ管を備え、そのランプ管は、カソード、ステムキャップ、及び両端に配置されたワイヤを持ち、全体が一体の放電空間を形成し、
前記ランプ管を通して連結されたキャビティ管が、少なくとも一つの前記ランプ管の少なくとも一端から延出されて前記ランプ管に発光ゾーンとコールドエンドゾーンとを形成することを特徴とするコンパクト形蛍光ランプ。
【請求項２】
前記ステムキャップ内にアマルガムが配設され、そのアマルガムを含むステムキャップは前記キャビティ管の底端に配設されていることを特徴とする請求項１に記載のコンパクト形蛍光ランプ。
【請求項３】
前記キャビティ管の底端にはステムキャップ、カソード、及びワイヤが配設され、前記カソードに接続された前記ワイヤは、一端が前記ステムキャップに固定され、他端が前記キャビティ管から引き出されることを特徴とする請求項１に記載のコンパクト形蛍光ランプ。
【請求項４】
前記キャビティ管の底端にはステムキャップ、カソード、アマルガム、及びワイヤが設けられ、前記カソードに接続された前記ワイヤは、一端が前記ステムキャップに固定されるとともに他端が前記キャビティ管から引き出され、前記アマルガムは前記ステムキャップ内に配置されることを特徴とする請求項１に記載のコンパクト形蛍光ランプ。
【請求項５】
前記ランプ管の直径は６ｍｍから２５ｍｍであることを特徴とする請求項１に記載のコンパクト形蛍光ランプ。
【請求項６】
前記ランプ管はＵ形、Ｈ形、π形、仏陀の手形状、Ｗ形、又はＳＬ形の管であることを特徴とする請求項１に記載のコンパクト形蛍光ランプ。
【発明の詳細な説明】
【技術分野】
【０００１】
本発明は蛍光ランプに関するものであり、特に、新しいコールドエンド技術を利用した面負荷の高いコンパクト形蛍光ランプ又はエンベロープで覆われた蛍光ランプに関する。
【背景技術】
【０００２】
従来のコンパクト形蛍光ランプは一般に、少なくとも一つのランプ管、カソード、ステムキャップ及びワイヤから構成される。この種のコンパクト形蛍光ランプにおいては、ワイヤの一端及びカソードがステムキャップに固定され、ワイヤの他端はランプ管から引き出される。その結果、蛍光ランプ内の空隙全体が放電空間を構成し、水銀蒸気圧は一般に管壁の最冷部で調整される。従って、（１）調整範囲が比較的狭く、基準から大幅に外れた状態になると、所望の効果を得ることができない、（２）アマルガムを用いた蛍光ランプの場合、アマルガムと管壁の最冷部の共通部分の効果に基づいて動作状態調整を行うことが困難、等の欠点がある。蛍光ランプがある程度まで益々小型化され、特性が多様化すると、従来のコールドエンド技術では満足の行く広範囲の動作状態調整を得ることは容易でなく、蛍光ランプを最適設計するにあたって大きな影響が生じる。
【発明の開示】
【発明が解決しようとする課題】
【０００３】
本発明は、ランプ動作時の温度及びランプ管内の圧力を広範囲で最適に調整することが可能な面負荷の高いコンパクト形蛍光ランプ又はエンベロープで覆われた蛍光ランプを提供し、安定した動作状態を提供するとともにカソードの急速な始動を可能にすることを目的とする。
【課題を解決するための手段】
【０００４】
本発明は、少なくとも一つのランプ管を備え、カソード、ステムキャップ及びワイヤが両端に設けられ、全体が一体の放電空間を形成する。ランプ管を通して連結されたキャビティ管が、少なくとも一つのランプ管の少なくとも一端から延びてランプ管に発光ゾーンとコールドエンドゾーンとを形成する。ステムキャップを上記キャビティ管の底端に配置し、ステムキャップ内にアマルガムを配置してもよい。また、ステムキャップ、カソード及びワイヤをキャビティ管の底端に設け、カソードに接続されたワイヤの一端をステムキャップに固定し、他端をキャビティ管から引き出してもよい。さらに、ステムキャップ、カソード、アマルガム及びワイヤをキャビティ管の底端に設け、カソードに接続されたワイヤの一端をステムキャップに固定するとともに他端をキャビティ管から引き出し、アマルガムをステムキャップ内に配置してもよい。
【０００５】
ここに説明する本発明の構造は、様々な直径及び形状のランプ管で提供することができ、例えば、一般的な６ｍｍから２５ｍｍの直径を有し、Ｕ形、Ｈ形、π形、仏陀の手形状、Ｗ形、ＳＬ形等、様々な形状を有するコンパクト形蛍光ランプ又はエンベロープで覆われた蛍光ランプに適用される。
【０００６】
本発明には、（１）ランプ動作時の温度を広範囲で最適に調整することができる、（２）ランプ管内の水銀蒸気圧を調整して安定した動作状態を提供することができる、（３）カソードを急速に始動させることができ、従来のアマルガムを用いた蛍光ランプが抱える立ち上がりの遅さの問題を克服することができる、といった利点がある。
【０００７】
本発明の種々の目的及び利点は、添付図面を参照して以下の詳細な説明をお読み頂ければ、より容易に理解されるであろう。
【発明を実施するための最良の形態】
【０００８】
（実施例１）
図１を参照すると、本発明の一実施例は、互いに連結された３つのＵ形ランプ管を含むランプ管１を備え、ランプ管１に連結されたキャビティ管３が、カソード、ステムキャップ及びワイヤが設けられていないランプ管の一端で延出されてランプ管１と一体ユニットを形成し、ランプ管に発光ゾーン２とコールドエンドゾーン４とを構成する。キャビティ管３の直径はランプ管の直径と同一であるが、キャビティ管３の長さは要求に応じて調整することができる。
【０００９】
（実施例２）
図２を参照すると、本実施例は、キャビティ管３の底端にステムキャップ５が設けられ、ステムキャップ５内にアマルガム６が配置されている点を除いては、実施例１と同様の構成である。
【００１０】
（実施例３）
図３を参照すると、本実施例は以下の点を除き、実施例１と同様の構成である。本実施例では、キャビティ管３の底部にステムキャップ５、カソード７及びワイヤ８が設けられ、カソード７に接続されたワイヤ８の一端がステムキャップ５に固定され、他端がキャビティ管３から引き出されている。カソード７には加熱フィラメントを用いている。
【００１１】
（実施例４）
図４を参照すると、本実施例は、ステムキャップ５内にアマルガム６が配置されている点を除いては、実施例３と同様の構成である。
【００１２】
（実施例５）
図５を参照すると、本実施例は、カソード７、ステムキャップ５及びワイヤ８が端部に設けられたランプ管の一端においてキャビティ管３が直接延出されてランプ管１と一体ユニットを形成し、ランプ管に発光ゾーン２とコールドエンドゾーン４とを構成する。キャビティ管３の底端には、ステムキャップ５（ステムキャップ５内にはアマルガム６が配置されている）、カソード７、及びワイヤ８が配置され、カソード７に接続されたワイヤ８は、一端がステムキャップ５に固定され、他端がキャビティ管３から引き出されている。
【００１３】
（実施例６）
図６から図８を参照すると、本実施例は、Ｗ形のランプ管９が用いられている点を除いては実施例５と同様の構成である。また、ランプ管の一端から延びるキャビティ管の直径がランプ管の直径より小さい。
【００１４】
（実施例７）
図９から図１１を参照すると、本実施例は、ＳＬ形のランプ管１０が用いられている点を除いては実施例６と同様の構成である。
【００１５】
（実施例８）
図１２から図１４を参照すると、本実施例は、２π形のランプ管１１が用いられている点を除いては実施例６と同様の構成である。
【００１６】
（実施例９）
本実施例は、Ｈ形又は仏陀の手形状のランプ管が用いられる点を除いては実施例６と同様の構成である。
【００１７】
本明細書において説明された実施形態は限定を意図するものではなく、そのように判断されるべきものではない。本発明の趣旨及び本質的な特徴を逸脱しないような変更又は実施形態は、付記される請求項の広さ及び範囲内において、特に留保されるものとする。
【図面の簡単な説明】
【００１８】
【図１】本発明の実施例１の概略図。
【図２】本発明の実施例２の概略図。
【図３】本発明の実施例３の概略図。
【図４】本発明の実施例４の概略図。
【図５】本発明の実施例５の概略図。
【図６】本発明の実施例６によるＷ形ランプ管の概略図。
【図７】図６の左側面図。
【図８】図６の平面図。
【図９】本発明の実施例７によるＳＬ形ランプ管の概略図。
【図１０】図９の左側面図。
【図１１】図９の平面図。
【図１２】本発明の実施例８による２π形ランプ管の概略図。
【図１３】図１２の左側面図。
【図１４】図１２の平面図。
【符号の説明】
【００１９】
１  ランプ管
２  発光ゾーン
３  キャビティ管
４  コールドエンドゾーン
５  ステムキャップ
６  アマルガム
７  カソード
８  ワイヤ
【図１】
2006024570.tif 000003
【図２】
2006024570.tif 000004
【図３】
2006024570.tif 000005
【図４】
2006024570.tif 000006
【図５】
2006024570.tif 000007
【図６】
2006024570.tif 000008
【図７】
2006024570.tif 000009
【図８】
2006024570.tif 000010
【図９】
2006024570.tif 000011
【図１０】
2006024570.tif 000012
【図１１】
2006024570.tif 000013
【図１２】
2006024570.tif 000014
【図１３】
2006024570.tif 000015
【図１４】
2006024570.tif 000016